【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
方法であって、
１つ以上のプロセッサによって、少なくとも１つの熱交換器の熱伝達効率を監視し、前記熱交換器の熱伝達効率傾向を確立することであって、前記熱交換器が、プロセス流側および冷却水流側を有する、確立することと、
前記１つ以上のプロセッサによって、前記熱伝達効率傾向の変化を検出することと、
前記１つ以上のプロセッサによって、前記冷却水流側のスケール汚損を示すデータを受信することと、
前記１つ以上のプロセッサによって、前記冷却水流側の腐食汚損を示すデータを受信することと、
前記１つ以上のプロセッサによって、前記冷却水流側の生物汚損を示すデータを受信することと、
前記１つ以上のプロセッサによって、前記熱伝達効率傾向の前記検出された変化の予測原因を、少なくとも、スケール汚損、腐食汚損、および生物汚損を示す前記受信したデータに基づいて、決定することと、
前記予測原因に基づいて、前記少なくとも１つの熱交換器の前記冷却水流側と流体連通している冷却水への化学添加剤の添加を制御することと、を含む、方法。
【請求項２】
スケール汚損を示すデータを受信することが、前記冷却水中のリン酸塩の濃度、前記冷却水中のカルシウムの濃度、前記冷却水中のマンガンの濃度、前記冷却水中のアルミニウム濃度、前記冷却水中の鉄の濃度、前記冷却水中のシリカの濃度、前記冷却水中の粒子を示す光学測定値、前記熱交換器の前記冷却水流側の表面の汚損またはそれらの類似物を示す光学測定値、およびそれらの組み合わせからなる群から選択されるデータを受信することを含む、請求項１に記載の方法。
【請求項３】
スケール汚損を示すデータを受信することが、前記熱交換器の前記冷却水流側に沿った１つ以上のセンサからデータを受信することを含む、先行する請求項のいずれか一項に記載の方法。
【請求項４】
腐食汚損を示すデータを受信することが、前記冷却水中の鉄の濃度、前記冷却水中の銅の濃度、前記熱交換器の前記冷却水流側の表面の腐食またはそれらの類似物を示す光学測定値、前記熱交換器の前記冷却水流側のプローブの表面の腐食速度を示す線形偏光抵抗測定値、およびそれらの組み合わせからなる群から選択されるデータを受信することを含む、先行する請求項のいずれか一項に記載の方法。
【請求項５】
腐食汚損を示すデータを受信することが、前記熱交換器の前記冷却水流側に沿った１つ以上のセンサからデータを受信することを含む、先行する請求項のいずれか一項に記載の方法。
【請求項６】
腐食汚損を示すデータを受信することが、熱伝達効率が監視される前記熱交換器とは異なるモデル熱交換器に関連付けられた１つ以上のセンサからデータを受信することを含み、
前記モデル熱交換器が、熱伝達効率が監視される前記熱交換器も通過する冷却水を受容し、通過させる、先行する請求項のいずれか一項に記載の方法。
【請求項７】
生物汚損を示すデータを受信することが、前記冷却水中のアデノシン三リン酸の濃度、前記冷却水中の全有機炭素の量、前記冷却水中の酸化剤の残留濃度、前記冷却水の酸化還元電位、前記冷却水中の粒子を示す光学測定値、前記熱交換器の前記冷却水流側の表面の汚損またはそれらの類似物を示す光学測定値、微生物活性を示す蛍光測定値、およびそれらの組み合わせからなる群から選択されるデータを受信することを含む、先行する請求項のいずれか一項に記載の方法。
【請求項８】
生物汚損を示すデータを受信することが、前記熱交換器の前記冷却水流側に沿った１つ以上のセンサからデータを受信することを含む、先行する請求項のいずれか一項に記載の方法。
【請求項９】
前記１つ以上のプロセッサによって、前記冷却水の温度および前記冷却水のｐＨのうちの少なくとも１つを示すデータをさらに受信する、先行する請求項のいずれか一項に記載の方法。
【請求項１０】
熱伝達効率傾向の前記検出された変化の前記予測原因を決定することが、前記１つ以上のプロセッサによって、集約スケール汚損スコアを、スケール汚損を示す前記受信したデータに基づいて、集約腐食汚損スコアを、腐食汚損を示す前記受信したデータに基づいて、ならびに集約生物汚損スコアを、生物汚損を示す前記受信したデータに基づいて決定することを、さらに含む、先行する請求項のいずれか一項に記載の方法。
【請求項１１】
前記集約スケール汚損スコアを決定することが、スケール汚損を示す各重み付けデータパラメータを合計し、その平均を決定することを含み、
前記集約腐食汚損スコアを決定することが、腐食汚損を示す各重み付けデータパラメータを合計し、その平均を決定することを含み、
前記集約生物汚損スコアを決定することが、生物汚損を示す各重み付けデータパラメータを合計し、その平均を決定することを含み、
前記熱伝達効率傾向の前記検出された変化の前記予測原因を決定することが、前記集約スケール汚損スコア、前記集約腐食汚損スコア、および前記集約生物汚損スコアのうちの最大のものを特定することを含む、請求項１０に記載の方法。
【請求項１２】
熱伝達効率傾向の前記検出された変化の前記予測原因を決定することが、重み付け因子を、スケール汚損、腐食汚損、および生物汚損を示す各受信したデータパラメータに適用することを含む、先行する請求項のいずれか一項に記載の方法。
【請求項１３】
前記化学添加剤の添加を制御することが、前記予測原因に対抗するために選択された化学添加剤を制御することを含み、前記予測原因が、スケール汚損、腐食汚損、および生物汚損からなる群から選択される、先行する請求項のいずれか一項に記載の方法。
【請求項１４】
前記予測原因に対抗するために選択された前記化学添加剤の前記制御された添加に応答して、前記熱伝達効率傾向が閾値量を超えて変化しない場合、前記熱伝達効率傾向の前記検出された変化の代替的な予測原因を決定することと、
前記熱交換器の前記冷却水流側と流体連通している冷却水への代替的な化学添加剤の添加を制御することと、をさらに含み、前記代替的な化学添加剤が、前記代替的な予測原因に対抗するために選択される、先行する請求項のいずれか一項に記載の方法。
【請求項１５】
前記熱交換器の前記熱伝達効率を監視する前に、熱交換器ネットワーク内の複数の熱交換器を調査して、少なくとも１つの重要な熱交換器を特定することをさらに含み、
前記熱交換器の前記熱伝達効率を監視し、前記熱伝達効率傾向を確立することが、前記重要な熱交換器の前記熱伝達効率を監視し、前記重要な熱交換器の前記熱伝達効率傾向を確立することを含む、先行する請求項のいずれか一項に記載の方法。
【請求項１６】
方法であって、
冷却水回路内の複数の熱交換を評価し、重要な熱交換器である、前記複数の熱交換器のうちの少なくとも１つを特定することと、
前記重要な熱交換器の熱伝達効率を監視し、汚損を示す前記熱伝達効率の変化を決定することと、
スケール汚損、生物汚損、および腐食汚損を含む、前記重要な熱交換器で発生する複数の異なる潜在的な汚損のメカニズムを示すデータを受信することと、
前記複数の異なる潜在的な汚損のメカニズムを示す前記受信したデータに基づいて、前記熱伝達効率傾向の前記変化の予測原因を決定することと、
前記予測原因に基づいて、重要な熱交換器と流体連通している冷却水への化学添加剤の添加を制御することと、を含む、方法。
【請求項１７】
汚損を示す前記熱伝達効率の変化を決定することが、ある測定期間の熱伝達効率傾向と、以前に確立された熱伝達効率傾向との比較を実施することを含む、請求項１６に記載の方法。
【請求項１８】
前記比較が、前記測定期間の熱伝達効率傾向と、前記以前に確立された熱伝達効率傾向との間の差および比率のうちの１つである、請求項１７に記載の方法。
【請求項１９】
システムであって、
蒸発冷却により冷却水流の温度を低減する冷却塔と、
冷却水入口、冷却水出口、プロセス流入口、およびプロセス流出口を有する、熱交換器と、
前記冷却水入口を通って前記熱交換器に入る冷却水流の温度、前記冷却水出口を通って前記熱交換器を出る前記冷却水流の温度、前記プロセス流入口を通って前記熱交換器に入るプロセス流の温度、および前記プロセス流出口を通って前記熱交換器を出る前記プロセス流の温度、を測定するように位置決めされた第１の複数のセンサと、
スケール汚損、生物汚損、および腐食汚損を含む、前記熱交換器で発生する複数の異なる潜在的な汚損のメカニズムを示すパラメータを測定するように構成された第２の複数のセンサと、
前記冷却水流に化学添加剤を注入するように位置決めされたポンプと、
前記第１の複数のセンサ、前記第２の複数のセンサ、および前記ポンプに通信可能に連結されたコントローラと、を備え、前記コントローラが、
前記第１の複数のセンサからデータを受信し、前記第１の複数のセンサからの前記受信したデータに基づいて前記熱交換器の熱伝達効率を決定し、ある期間にわたって前記熱交換器の熱伝達効率傾向を確立し、前記熱伝達効率傾向の変化を検出すること、
前記複数の異なる潜在的な汚損のメカニズムを示す前記受信したデータに基づいて、前記熱伝達効率傾向の前記変化の予測原因を決定すること、および
前記予測原因に基づいて、前記冷却水への化学添加剤の添加を制御すること、を行うように構成されている、システム。